【手続補正書】
【提出日】平成28年3月28日(2016.3.28)
【手続補正１】
【補正対象書類名】特許請求の範囲
【補正対象項目名】全文
【補正方法】変更
【補正の内容】
【特許請求の範囲】
【請求項１】
一対の電極と、
前記一対の電極の間に配置され、複数種類の同極性のエレクトロクロミック分子を有するエレクトロクロミック層と、を有し、
前記複数種類のエレクトロクロミック分子から前記エレクトロクロミック層の着色時の最大吸光度が大きい順に２種類の分子を選択した場合に、前記２種類の分子各々の前記エレクトロクロミック層の着色時における拡散係数のうち、小さい方の拡散係数Ｄ２ｍｉｎ、大きい方の拡散係数Ｄ２ｍａｘ、及び前記２種類の分子のうち拡散係数が前記Ｄ２ｍａｘである分子の前記エレクトロクロミック層の着色時の最大吸光度Ｈ２が、下記式（５）を満たすことを特徴とするエレクトロクロミック素子。
１≦Ｄ２ｍａｘ／Ｄ２ｍｉｎ≦（１＋０．１４６／Ｈ２）２      （５）
【請求項２】
一対の電極と、
前記一対の電極の間に配置され、複数種類の同極性のエレクトロクロミック分子を有するエレクトロクロミック層と、を有し、
前記複数種類の同極性のエレクトロクロミック分子として３種類以上の同極性のエレクトロクロミック分子を前記エレクトロクロミック層に有し、
前記複数種類の同極性のエレクトロクロミック分子から前記エレクトロクロミック層の着色時の最大吸光度が大きい順に３種類の分子を選択した場合に、前記３種類の分子各々の前記エレクトロクロミック層の着色時における拡散係数のうち、最も小さな拡散係数Ｄ３ｍｉｎ、最も大きな拡散係数Ｄ３ｍａｘ、及び前記３種類の分子のうち拡散係数が前記Ｄ３ｍａｘである分子の前記エレクトロクロミック層の着色時の最大吸光度Ｈ３が、下記式（５ａ）を満たすことを特徴とするエレクトロクロミック素子。
１≦Ｄ３ｍａｘ／Ｄ３ｍｉｎ≦（１＋０．１４６／Ｈ３）２      （５ａ）  
【請求項３】
一対の電極と、
前記一対の電極の間に配置され、複数種類の同極性のエレクトロクロミック分子を有するエレクトロクロミック層と、を有し、
前記複数種類の同極性のエレクトロクロミック分子から前記エレクトロクロミック層の着色時の最大吸光度が最も大きい分子と該最大吸光度が最も大きい分子の最大吸光度の１／１０以上の最大吸光度を有する分子群のうちの任意の一つの分子との各々の拡散係数のうち、小さい方の拡散係数ＤＮｍｉｎ、大きい方の拡散係数ＤＮｍａｘ、及び前記分子のうち拡散係数が前記ＤＮｍａｘである分子の前記エレクトロクロミック層の着色時の最大吸光度ＨＮが、下記式（５ｂ）を満たすことを特徴とするエレクトロクロミック素子。
１≦ＤＮｍａｘ／ＤＮｍｉｎ≦（１＋０．１４６／ＨＮ）２      （５ｂ）
【請求項４】
前記Ｄ２ｍｉｎと前記Ｄ２ｍａｘが等しいことを特徴とする請求項１に記載のエレクトロクロミック素子。
【請求項５】
前記Ｄ３ｍｉｎと前記Ｄ３ｍａｘが等しいことを特徴とする請求項２に記載のエレクトロクロミック素子。
【請求項６】
前記ＤＮｍｉｎと前記ＤＮｍａｘが等しいことを特徴とする請求項３に記載のエレクトロクロミック素子。
【請求項７】
前記Ｄ２ｍｉｎ、前記Ｄ２ｍａｘ及び前記Ｈ２が、下記式（１５）を満たすことを特徴とする請求項１に記載のエレクトロクロミック素子。
１≦Ｄ２ｍａｘ／Ｄ２ｍｉｎ≦（１＋０．０７９２／Ｈ２）２      （１５）
【請求項８】
前記Ｄ３ｍｉｎ、前記Ｄ３ｍａｘ及び前記Ｈ３が、下記式（１５ａ）を満たすことを特徴とする請求項２に記載のエレクトロクロミック素子。
１≦Ｄ３ｍａｘ／Ｄ３ｍｉｎ≦（１＋０．０７９２／Ｈ３）２      （１５ａ）
【請求項９】
前記ＤＮｍｉｎ、前記ＤＮｍａｘ及び前記ＨＮが、下記式（１５ｂ）を満たすことを特徴とする請求項３に記載のエレクトロクロミック素子。
１≦ＤＮｍａｘ／ＤＮｍｉｎ≦（１＋０．０７９２／ＨＮ）２      （１５ｂ）
【請求項１０】
前記Ｄ２ｍｉｎ及び前記Ｄ２ｍａｘが、下記式（１７）を満たすことを特徴とする請求項１に記載のエレクトロクロミック素子。
１≦Ｄ２ｍａｘ／Ｄ２ｍｉｎ≦１．２９      （１７）
【請求項１１】
前記Ｄ３ｍｉｎ及び前記Ｄ３ｍａｘが、前記式（１７ａ）を満たすことを特徴とする請求項２に記載のエレクトロクロミック素子。
１≦Ｄ３ｍａｘ／Ｄ３ｍｉｎ≦１．２９      （１７ａ）
【請求項１２】
前記ＤＮｍｉｎ及び前記ＤＮｍａｘが、下記式（１７ｂ）を満たすことを特徴とする請求項３に記載のエレクトロクロミック素子。
１≦ＤＮｍａｘ／ＤＮｍｉｎ≦１．２９      （１７ｂ）
【請求項１３】
前記Ｄ２ｍｉｎ及び前記Ｄ２ｍａｘが、下記式（１８）を満たすことを特徴とする請求項１０に記載のエレクトロクロミック素子。
１≦Ｄ２ｍａｘ／Ｄ２ｍｉｎ≦１．１５      （１８）
【請求項１４】
前記Ｄ３ｍｉｎ及び前記Ｄ３ｍａｘが、下記式（１８ａ）を満たすことを特徴とする請求項１１に記載のエレクトロクロミック素子。
１≦Ｄ３ｍａｘ／Ｄ３ｍｉｎ≦１．１５      （１８ａ）
【請求項１５】
前記ＤＮｍｉｎ及び前記ＤＮｍａｘが、下記式（１８ｂ）を満たすことを特徴とする請求項１２に記載のエレクトロクロミック素子。
１≦ＤＮｍａｘ／ＤＮｍｉｎ≦１．１５      （１８ｂ）
【請求項１６】
前記複数種類の同極性のエレクトロクロミック分子が、いずれも、モノチオフェン誘導体、オリゴチオフェン誘導体、芳香族アミン誘導体またはピリジン誘導体であることを特徴とする請求項１から１５のいずれか一項に記載のエレクトロクロミック素子。
【請求項１７】
前記複数種類の同極性のエレクトロクロミック分子が、クロモファーとして、それぞれ異なるモノチオフェン誘導体、またはオリゴチオフェン誘導体をもつことを特徴とする請求項１から１６のいずれか一項に記載のエレクトロクロミック素子。
【請求項１８】
前記２つの電極間の距離が０．６μｍ以上１３０μｍ以下であることを特徴とする請求項１から１７のいずれか一項に記載のエレクトロクロミック素子。
【請求項１９】
請求項１から１８のいずれか一項に記載のエレクトロクロミック素子と、前記エレクトロクロミック素子を制御するトランジスタと、を有することを特徴とする光学フィルタ。
【請求項２０】
請求項１から１８のいずれか一項に記載のエレクトロクロミック素子と、複数のレンズと、を有することを特徴とするレンズユニット。
【請求項２１】
撮像光学系と、
前記撮像光学系からの光を受光する撮像素子と、
前記撮像素子につながる光の光路に配置されている、請求項１から１８のいずれか一項に記載のエレクトロクロミック素子と、
前記エレクトロクロミック素子を制御するトランジスタと、を有することを特徴とする撮像装置。
【手続補正２】
【補正対象書類名】明細書
【補正対象項目名】０００７
【補正方法】変更
【補正の内容】
【０００７】
そこで、本発明では、一対の電極と、前記一対の電極の間に配置され、複数種類の同極性のエレクトロクロミック分子を有するエレクトロクロミック層と、を有し、前記複数種類の同極性のエレクトロクロミック分子から前記エレクトロクロミック層の着色時の最大吸光度が大きい順に２種類の分子を選択した場合に、前記２種類の分子各々の前記エレクトロクロミック層の着色時における拡散係数のうち、小さい方の拡散係数Ｄ２ｍｉｎ、大きい方の拡散係数Ｄ２ｍａｘ、及び前記２種類の分子のうち拡散係数が前記Ｄ２ｍａｘである分子の前記エレクトロクロミック層の着色時の最大吸光度Ｈ２が、下記式（５）を満たすことを特徴とするエレクトロクロミック素子を提供する。
１≦Ｄ２ｍａｘ／Ｄ２ｍｉｎ≦（１＋０．１４６／Ｈ２）２      （５）
【手続補正３】
【補正対象書類名】明細書
【補正対象項目名】０００８
【補正方法】変更
【補正の内容】
【０００８】
また、別の本発明では、一対の電極と、前記一対の電極の間に配置され、複数種類の同極性のエレクトロクロミック分子を有するエレクトロクロミック層と、有し、前記複数種類の同極性のエレクトロクロミック分子として３種類以上の同極性のエレクトロクロミック分子を前記エレクトロクロミック層に有し、前記複数種類の同極性のエレクトロクロミック分子から前記エレクトロクロミック層の着色時の最大吸光度が大きい順に３種類の分子を選択した場合に、前記３種類の分子各々の前記エレクトロクロミック層の着色時における拡散係数のうち、最も小さな拡散係数Ｄ２ｍｉｎ、最も大きな拡散係数をＤ２ｍａｘ、及び前記３種類の分子のうち拡散係数が前記Ｄ３ｍａｘである分子の前記エレクトロクロミック層の着色時の最大吸光度Ｈ３が、下記式（５ａ）を満たすことを特徴とするエレクトロクロミック素子を提供する。
１≦Ｄ３ｍａｘ／Ｄ３ｍｉｎ≦（１＋０．１４６／Ｈ３）２      （５ａ）
さらに、別の本発明では、一対の電極と、前記一対の電極の間に配置され、複数種類の同極性のエレクトロクロミック分子を有するエレクトロクロミック層と、を有し、前記複数種類の同極性のエレクトロクロミック分子から前記エレクトロクロミック層の着色時の最大吸光度が最も大きい分子と該最大吸光度が最も大きい分子の最大吸光度の１／１０以上の最大吸光度を有する分子群のうちの任意の一つの分子との各々の拡散係数のうち、小さい方の拡散係数ＤＮｍｉｎ、大きい方の拡散係数ＤＮｍａｘ、及び前記分子のうち拡散係数が前記ＤＮｍａｘである分子の前記エレクトロクロミック層の着色時の最大吸光度ＨＮが、下記式（５ｂ）を満たすことを特徴とするエレクトロクロミック素子を提供する。
１≦ＤＮｍａｘ／ＤＮｍｉｎ≦（１＋０．１４６／ＨＮ）２      （５ｂ）
【手続補正４】
【補正対象書類名】明細書
【補正対象項目名】０１０７
【補正方法】変更
【補正の内容】
【０１０７】
したがって、（１３）式と図３より、Ｘ、Ｙ分子うち、小さな拡散係数（Ｄｍｉｎ（ＤＹ））をもつ分子と、大きな拡散係数（Ｄｍａｘ（ＤＸ））をもつ分子との拡散係数の関係、Ｄｍａｘをもつ分子の与える最大の吸光度Ｈの関係が、下記式（５）を満たす場合に、透過率は式（１４）となり、エレクトロクロミック素子の透過率変化が小さく、下記式（１５）を満たす場合に、透過率は式（１６）となり、エレクトロクロミック素子の透過率変化がより小さいことがわかる。
１≦Ｄ２ｍａｘ／Ｄ２ｍｉｎ≦（１＋０．１４６／Ｈ２）      （５）
Ｔ（Ｘ）／Ｔ（Ｙ）≦１．４      （１４）
１≦Ｄ２ｍａｘ／Ｄ２ｍｉｎ≦（１＋０．０７９２／Ｈ２）    （１５）
Ｔ（Ｘ）／Ｔ（Ｙ）≦１．２      （１６）